(57)【要約】【課題】種類やサイズの異なる種々のディスプレイを取付可能なディスプレイスタンドを提供する。【解決手段】本発明の態様に係るディスプレイスタンド３は、上下方向に延びる支柱５１と、支柱５１に取り付けられるとともに、支柱５１の前方でディスプレイを支持するブラケット５２と、を備え、ブラケット５２は、上下方向での位置を変更可能に支柱５１に取り付けられたベース部材２００と、左右方向での位置を変更可能にベース部材２００に取り付けられるとともに、ベース部材２００から前方に延在し、前端部においてディスプレイが取り付けられるアーム部材２０１と、を備えている。アーム部材２０１は、ディスプレイに形成された複数のねじ穴に各別に取り付けられるように複数設けられている。【選択図】図３
2020071272.tif 000002
【特許請求の範囲】
【請求項１】
上下方向に延びる支持部と、
前記支持部に取り付けられるとともに、前記支持部の前方でディスプレイを支持するディスプレイ取付部と、を備え、
前記ディスプレイ取付部は、
上下方向及び左右方向のうち、第１方向での位置を変更可能に前記支持部に取り付けられたベース部材と、
上下方向及び左右方向のうち、第２方向での位置を変更可能に前記ベース部材に取り付けられるとともに、前記ベース部材から前方に延在し、前端部において前記ディスプレイが取り付けられるアーム部材と、を備え、
前記アーム部材は、前記ディスプレイに形成された複数の固定部に各別に取り付けられるように複数設けられているディスプレイスタンド。
【請求項２】
前記ベース部材は、上方に向けて凸の係合凸部を備え、
前記アーム部材は、前記係合凸部に上方から係合する係合凹部を備えている請求項１に記載のディスプレイスタンド。
【請求項３】
前記支持部は、上下方向に延在するとともに、左右方向で対向する一対の支柱を備え、
一対の前記支柱には、前記ベース部材を取付可能なベース取付部が上下方向に間隔をあけて形成され、
前記ベース部材は、複数の前記ベース取付部のうち、選択した前記ベース部材に取り付けられた状態で、一対の前記支柱間に架け渡されている請求項１又は請求項２に記載のディスプレイスタンド。
【請求項４】
前記ベース取付部は、
前記ベース部材を下方から支持する第１支持部と、
締結部材を介して前記ベース部材に後方から締結される第２支持部と、を備えている請求項３に記載のディスプレイスタンド。
【請求項５】
前記第１支持部は、前記支柱の前後両端部に形成されている請求項４に記載のディスプレイスタンド。
【請求項６】
前記アーム部材は、前記ベース部材に後方から締結される請求項１から請求項５の何れか１項に記載のディスプレイスタンド。
【請求項７】
天板付什器における天板の端部を上下方向に挟んだ状態で、前記天板に着脱可能に装着される装着部を備え、
前記支持部は、前記装着部から上方に延在している請求項１から請求項６の何れか１項に記載のディスプレイスタンド。
【発明の詳細な説明】
【技術分野】
【０００１】
本発明は、ディスプレイスタンドに関する。
【背景技術】
【０００２】
各種施設（オフィスや公共施設等）には、ディスプレイを所定の高さで支持するために、ディスプレイスタンドが設置されている場合がある。ディスプレイスタンドでは、例えば複数人のユーザが情報を大画面で共有することができるので、執務の効率化等を図ることができる。
【０００３】
上述したディスプレイスタンドは、上方に延びる支持体と、支持体に取り付けられるとともに、支持部の前方でディスプレイを支持するディスプレイ取付部と、を備えている（例えば、下記特許文献１〜３参照）。
ディスプレイ取付部として、例えば下記特許文献１には、ディスプレイの後面に突き当たるブラケットを備える構成が開示されている。ブラケットには、ディスプレイの各ねじ穴に対応する取付孔が形成されている。ディスプレイは、ブラケットの各取付孔を通じてねじ穴にねじが螺着されることで、ブラケットに取り付けられる。
【０００４】
例えば下記特許文献２，３には、ディスプレイ取付部として、上下方向に延びる縦桟状のブラケットが左右方向に間隔をあけて複数配列された構成が開示されている。各ブラケットには、複数の取付孔が上下方向に間隔をあけて形成されている。ディスプレイは、ブラケットの複数の取付孔のうち、例えば２つの取付孔を選択してねじ穴にねじが螺着されることで、ブラケットに取り付けられる。
【先行技術文献】
【特許文献】
【０００５】
【特許文献１】特開２００７−３２２５９２号公報
【特許文献２】特開２０１０−２８３５６６号公報
【特許文献３】特開２０１６−４３０２７号公報
【発明の概要】
【発明が解決しようとする課題】
【０００６】
ところで、ディスプレイスタンドにあっては、種類やサイズの異なる種々のディスプレイを取付可能な構成が要望されている。
しかしながら、ディスプレイは、種類やサイズ等の違いによって、ねじ穴の位置や配線の接続位置等が異なる。上述した従来のディスプレイスタンドでは、一つのブラケットがディスプレイに対して複数箇所で取り付けられる構成であるため、ブラケットにおけるディスプレイとの対向面積が比較的大きくなる。そのため、ディスプレイの種類によっては、ねじ穴や配線の接続位置と、ブラケットと、が干渉する可能性がある。
【０００７】
本発明は、種類やサイズの異なる種々のディスプレイを取付可能なディスプレイスタンドを提供することを目的とする。
【課題を解決するための手段】
【０００８】
上記目的を達成するために、本発明の一態様に係るディスプレイスタンドは、上下方向に延びる支持部と、前記支持部に取り付けられるとともに、前記支持部の前方でディスプレイを支持するディスプレイ取付部と、を備え、前記ディスプレイ取付部は、上下方向及び左右方向のうち、第１方向での位置を変更可能に前記支持部に取り付けられたベース部材と、上下方向及び左右方向のうち、第２方向での位置を変更可能に前記ベース部材に取り付けられるとともに、前記ベース部材から前方に延在し、前端部において前記ディスプレイが取り付けられるアーム部材と、を備え、前記アーム部材は、前記ディスプレイに形成された複数の固定部に各別に取り付けられるように複数設けられている。
【０００９】
本態様によれば、ディスプレイの各固定部に対応してアーム部材を設けることで、一つのディスプレイ取付部がディスプレイに対して複数箇所で取り付けられる構成に比べて、アーム部材とディスプレイとの対向面積を小さくできる。その上、ベース部材及びアーム部材によって、支持部に対する上下方向及び左右方向に位置を変更することで、ねじ穴や配線とディスプレイ取付部との干渉を抑制できる。その結果、種類やサイズの異なる種々のディスプレイをディスプレイスタンドに取り付けることが可能になる。
【００１０】
上記態様のディスプレイスタンドにおいて、前記ベース部材は、上方に向けて凸の係合凸部を備え、前記アーム部材は、前記係合凸部に上方から係合する係合凹部を備えていてもよい。
本態様によれば、アーム部材がベース部材に対して下方及び前後両側から支持される。これにより、ベース部材に対してアーム部材を安定的かつ強固に取り付けることが可能になる。そのため、ディスプレイを安定して支持できる。
また、アーム部材をベース部材に締結等により取り付けるにあたって、先に係合凹部を係合凸部に係合させておくことで、アーム部材をベース部材に仮保持させておくことができる。これにより、アーム部材の組付性を向上させることもできる。
【００１１】
上記態様のディスプレイスタンドにおいて、前記支持部は、上下方向に延在するとともに、左右方向で対向する一対の支柱を備え、一対の前記支柱には、前記ベース部材を取付可能なベース取付部が上下方向に間隔をあけて形成され、前記ベース部材は、複数の前記ベース取付部のうち、選択した前記ベース部材に取り付けられた状態で、一対の前記支柱間に架け渡されていてもよい。
本態様によれば、複数のベース取付部の中から選択してベース部材を取り付けることで、支柱に対するベース部材の上下位置を容易に変更することができる。
【００１２】
上記態様のディスプレイスタンドにおいて、前記ベース取付部は、前記ベース部材を下方から支持する第１支持部と、締結部材を介して前記ベース部材に後方から締結される第２支持部と、を備えていてもよい。
本態様によれば、ベース部材が支柱に下方及び後方から支持される。これにより、支柱に対してベース部材を安定して取り付けることができる。
【００１３】
上記態様のディスプレイスタンドにおいて、前記第１支持部は、前記支柱の前後両端部に形成されていてもよい。
本態様によれば、ベース部材の前後両側が第１支持部によって下方から支持される。これにより、ベース部材が支柱により安定して支持される。
【００１４】
上記態様のディスプレイスタンドにおいて、前記アーム部材は、前記ベース部材に後方から締結されていてもよい。
本態様によれば、アーム部材がディスプレイの取り付けられる側（前側）とは反対側からベース部材に取り付けられるので、組付性の向上を図ることができる。
【００１５】
上記態様のディスプレイスタンドにおいて、天板付什器における天板の端部を上下方向に挟んだ状態で、前記天板に着脱可能に装着される装着部を備え、前記支持部は、前記装着部から上方に延在していてもよい。
本態様によれば、天板の下方にディスプレイスタンドの脚部等が配設されないので、ユーザの下肢とディスプレイスタンドとの干渉を抑制して、ユーザの下肢空間を確保できる。
【発明の効果】
【００１６】
上記各態様によれば、種類やサイズの異なる種々のディスプレイを取り付けることができる。
【図面の簡単な説明】
【００１７】
【図１】第１実施形態に係る什器システムの部分斜視図である。
【図２】図１のＩＩ−ＩＩ線に相当する断面図である。
【図３】第１実施形態に係るディスプレイスタンドの分解斜視図である。
【図４】第１実施形態に係るディスプレイスタンドを後方から見た分解斜視図である。
【図５】第１実施形態に係るディスプレイスタンドの平面図である。
【図６】図４のＶＩ−ＶＩ線に相当する断面図である。
【図７】第２実施形態に係るディスプレイスタンドの分解斜視図である。
【図８】第２実施形態に係るディスプレイスタンドにおいて、スタンド部のブラケット周辺を後方から見た斜視図である。
【図９】図８のＩＸ−ＩＸ線に相当する断面図である。
【発明を実施するための形態】
【００１８】
次に、本発明の実施形態を図面に基づいて説明する。本実施形態では、本発明に係るディスプレイスタンドが天板付什器に取り付けられて構成された什器システムについて説明する。以下の説明において、床面に直交する方向を上下方向（第１方向：矢印ＵＰが上側）とし、上下方向に直交する２方向をそれぞれ前後方向（矢印ＦＲが前側）及び左右方向（第２方向：矢印ＬＨが左側）として説明する。
【００１９】
（第１実施形態）
［什器システム］
図１は、什器システム１の部分斜視図である。
図１に示すように、本実施形態の什器システム１は、例えばオフィスや公共施設の会議室等の室内空間に設置されている。本実施形態の什器システム１は、天板付什器２と、ディスプレイスタンド３と、を備えている。什器システム１は、例えばテレビ会議等において、天板付什器２の周囲に存在する複数のユーザが、情報を大画面で共有するために用いられる。
【００２０】
［天板付什器］
天板付什器２は、天板１１と、支持フレーム１２（図２参照）と、脚部（不図示）と、を備えている。
天板１１は、例えば左右方向を短手方向、前後方向を長手方向とする平面視長方形状に形成されている。但し、天板１１の平面視外形は、長方形状に限らず、正方形状や円形状、三角形状等、適宜変更が可能である。
【００２１】
図２は、図１のＩＩ−ＩＩ線に相当する断面図である。
図２に示すように、支持フレーム１２は、天板１１を下方から支持している。支持フレーム１２は、例えば天板１１に対して一回り小さい枠状に形成されている。すなわち、天板１１の外周端部は、支持フレーム１２から張り出している。
脚部は、床面から上方に起立している。脚部の上端部は、支持フレーム１２に連結されている。
【００２２】
［ディスプレイスタンド］
ディスプレイスタンド３は、天板１１の外周端部に着脱可能に取り付けられている。なお、ディスプレイスタンド３は、天板１１の端部において、任意の位置に着脱可能である。この場合、ディスプレイスタンド３は、例えば天板１１の中央部に形成された配線引出用の開口部の開口端部等に着脱可能に取り付けられていてもよい。
【００２３】
図３は、ディスプレイスタンド３の分解斜視図である。
図２、図３に示すように、ディスプレイスタンド３は、装着部２１と、スタンド部２２と、カバー２３と、を備えている。
【００２４】
＜装着部＞
図２、図３に示すように、装着部２１は、天板１１の外周端部に着脱可能に挟持されている。具体的に、装着部２１は、クランプ部３１と、押圧部３２と、を備えている。
【００２５】
クランプ部３１は、左右方向から見た断面視でＣ字状に形成されている。クランプ部３１は、天板１１に取り付けられた状態で、天板１１の上面から外周端面を経て天板１１の下方に回り込んでいる。具体的に、クランプ部３１は、上部片３３、接続片３４及び下部片３５を備えている。
【００２６】
図４は、ディスプレイスタンド３を後方から見た分解斜視図である。
図４に示すように、上部片３３は、天板１１の上面に沿って配置される。上部片３３の前部（後述するフロントカバー１０１よりも前方に位置する部分）は、物品が載置される物品載置部３６を構成している。物品載置部３６の前端部には、前方に向かうに従い上方に湾曲して延びるストッパ３６ａが形成されている。物品載置部３６には、ディスプレイＤのリモコンや筆記具等が載置可能である。
【００２７】
上部片３３の後端部において、左右方向の両端部には、上部片３３を上下方向に貫通する切欠き部３８が形成されている。
上部片３３における左右方向の中央部において、物品載置部３６の後端に位置する部分には、上部片３３を上下方向に貫通する保持孔３９が形成されている。
【００２８】
接続片３４は、上部片３３の後端縁から下方に延設されている。接続片３４の下端縁は、天板１１の下面よりも下方に位置している。接続片３４における左右方向の中央部には、下部案内口４１が形成されている。下部案内口４１は、接続片３４を前後方向に貫通している。なお、下部案内口４１における少なくとも一部は、天板１１の下方に位置している。
接続片３４の下端縁には、後方に延びる位置決め片４２が設けられている。位置決め片４２は、接続片３４に一体で形成されている。なお、位置決め片４２は、接続片３４における左右方向の全長に亘って設けられていても、接続片３４における左右方向の一部に設けられていてもよい。
【００２９】
下部片３５は、上下方向に沿う断面視でＬ字状に形成されている。具体的に、下部片３５は、固定部４５、対向部４６及び補強部４７が一体に形成されている。固定部４５は、接続片３４の前面に沿って配置されている。なお、固定部４５は、接続片３４に対して締結や溶接等によって固定されている。
【００３０】
対向部４６は、固定部４５の上端縁から前方に延設されている。対向部４６は、上部片３３に対して上下方向で対向している。本実施形態において、上部片３３の下面と、対向部４６の上面と、の間の間隔は、天板１１の厚さよりも十分広くなっている。対向部４６における前後方向の長さは、上部片３３よりも短くなっている。なお、上部片３３及び対向部４６における前後方向の長さは、適宜変更が可能である。
【００３１】
補強部４７は、対向部４６における左右方向の両端縁から下方に延設されている。補強部４７は、左右方向から見た側面視で三角形状に形成されている。すなわち、補強部４７の前後方向の長さは、下方に向かうに従い漸次短くなっている。補強部４７の後端縁は、固定部４５に溶接等によって接続されている。
【００３２】
押圧部３２は、対向部４６における左右方向の両端部に設けられている。押圧部３２は、対向部４６に対して上下方向に移動可能に設けられている。各押圧部３２は、雄ねじ部３２ａと、頭部３２ｂと、を有している。
雄ねじ部３２ａは、対向部４６を上下方向に貫通する雌ねじ孔（不図示）内に螺着されている。
【００３３】
頭部３２ｂは、雄ねじ部３２ａの上端部に設けられている。頭部３２ｂは、雄ねじ部３２ａに対して拡径されている。頭部３２ｂの上端面は、上下方向に直交する平坦面に形成されている。頭部３２ｂは、雄ねじ部３２ａよりも軟質な材料により形成されている。本実施形態の頭部３２ｂは、樹脂材料やゴム材料等の弾性変形可能な材料により形成されている。なお、押圧部３２は、雄ねじ部３２ａの下端部に押圧部３２を操作可能な摘み等を設けてもよい。
【００３４】
装着部２１は、上部片３３と下部片３５との間に天板１１を進入させた状態で、押圧部３２を回転させることで、押圧部３２が天板１１の下面に対して接近離間する。すなわち、各押圧部３２を一方に回転させることで、各押圧部３２が対向部４６に対して上昇して、頭部３２ｂが天板１１の下面に接近する。これにより、上部片３３と頭部３２ｂとの間に天板１１が保持される。
一方、各押圧部３２を他方に回転させることで、各押圧部３２が対向部４６に対して下降して、頭部３２ｂが天板１１の下面から離間する。これにより、上部片３３と頭部３２ｂとの間が広がり、装着部２１を天板１１から取り外すことができる。
【００３５】
＜スタンド部＞
図３に示すように、スタンド部２２は、支柱（支持部）５１と、ブラケット（ディスプレイ取付部）５２と、を備えている。
支柱５１は、クランプ部３１における左右方向の両端部に一対で接続されている。各支柱５１は、上下方向に延在している。各支柱５１は、ブラケット５２を介してディスプレイＤを支持している。なお、各支柱５１は、ディスプレイスタンド３における左右方向の中心を通り、左右方向に直交する面に対して面対称に形成されている。したがって、以下の説明では、各支柱５１のうち、右側の支柱５１を例にして説明する。
【００３６】
図５は、ディスプレイスタンド３の平面図である。
図４、図５に示すように、支柱５１は、上下方向から見た平面視で左右方向の内側に開口するＣ字状に形成されている。具体的に、支柱５１は、側壁部６５と、前壁部６６と、後壁部６７と、を備えている。本実施形態の支柱５１（側壁部６５、前壁部６６及び後壁部６７）の下端縁は、上部片３３の上面に溶接等により接合されている。
【００３７】
側壁部６５は、左右方向を厚さ方向として配置されている。側壁部６５の下端縁は、上述した上部片３３の後部において、右端部に上方から突き当たっている。本実施形態において、側壁部６５の左右方向の外側を向く面は、上部片３３の右端面よりも左右方向の内側に配置されている。但し、側壁部６５の左右方向の外側を向く面は、上部片３３の右端面と面一であってもよい。図４に示すように、側壁部６５の下端縁には、下方に突出する突出片７１が形成されている。突出片７１は、上述した切欠き部３８内に挿入されている。
【００３８】
前壁部６６は、側壁部６５の前端縁から左右方向の内側に延在している。前壁部６６の下端縁は、上部片３３の後部に対して上方から突き当たっている。前壁部６６において、上下方向の中央部には、前壁部６６を前後方向に貫通する係止孔７２が形成されている。
【００３９】
後壁部６７は、側壁部６５の後端縁から左右方向の内側に延在している。後壁部６７の下端縁は、上部片３３の上面のうち前壁部６６よりも後方に位置する部分に上方から突き当たっている。後壁部６７において、上下方向の中央部よりも上方に位置する領域には、貫通孔（ベース取付部、第２支持部）７３が形成されている。貫通孔７３は、後壁部６７を前後方向に貫通している。貫通孔７３は、上下方向に間隔をあけて複数形成されている。
【００４０】
前壁部６６において、上述した各貫通孔７３に対応する位置（各貫通孔７３に対して上下方向で重なる位置）には、前側切欠き部８１が形成されている。前側切欠き部８１は、前壁部６６を前後方向に貫通するとともに、左右方向の内側に向けて開口している。前壁部６６において、各前側切欠き部８１間に位置する部分は、前側切欠き部８１における左右方向の外側端縁から左右方向の内側に突出する前側支持片（ベース取付部、第１支持部）８２を構成している。
後壁部６７において、前側切欠き部８１と上下方向の同位置には、後側切欠き部８３が形成されている。後側切欠き部８３は、後壁部６７を前後方向に貫通するとともに、左右方向の内側に向けて開口している。後壁部６７において、各後側切欠き部８３間に位置する部分は、後側切欠き部８３における左右方向の外側端縁から左右方向の内側に突出する後側支持片（ベース取付部、第１支持部）８４を構成している。
【００４１】
なお、本実施形態では、支柱５１が上部片３３のみに支持された構成について説明したが、この構成に限らず、上部片３３及び接続片３４の双方に支持されていてもよく、接続片３４のみに支持されていてもよい。
【００４２】
ブラケット５２は、支柱５１に取り付けられるとともに、支柱５１の前方でディスプレイＤを支持している。ブラケット５２は、上下方向に間隔をあけて複数（例えば、２つ）設けられている。各ブラケット５２は、何れも同様の構成とされている。したがって、以下の説明では、一のブラケット５２を例にして説明する。
【００４３】
ブラケット５２は、ベース部材２００と、アーム部材２０１と、を備えている。
ベース部材２００は、各支柱５１に架け渡されるとともに、上下方向に位置変更可能に支柱５１に取り付けられている。ベース部材２００は、板材が屈曲されることで、左右方向から見た断面視で下方に開口するハット形状に形成されている。ベース部材２００は、取付ベース（係合凸部）２１０と、支持ベース２１１ａ，２１１ｂと、を備えている。
【００４４】
図６は、図５のＶＩ−ＶＩ線に沿う断面図である。
図６に示すように、取付ベース２１０は、左右方向から見た断面視で下方に開口するＣ字状に形成されている。取付ベース２１０の右側端部は、一対の支柱５１のうち、右側の支柱５１の内側に収容されている。取付ベース２１０の左側端部は、一対の支柱５１のうち、左側の支柱５１の内側に収容されている。
【００４５】
取付ベース２１０の後壁部２１２において、左右方向の両端部には、後壁部２１２を前後方向に貫通する支柱締結孔２１３が形成されている。ベース部材２００は、上述した貫通孔７３のうち、何れかの貫通孔７３を通して支柱締結孔２１３内にビス（締結部材）２１５が螺着されることで、支柱５１に対して上下方向の任意の位置に取付可能に構成されている。すなわち、貫通孔７３は、ビス２１５を介してベース部材２００を支持するベース取付部（第２支持部）として機能する。
【００４６】
図４に示すように、取付ベース２１０の後壁部２１２において、左右方向の両端部（支柱５１内に収容された部分）を回避した位置には、後壁部２１２を前後方向に貫通するアーム取付孔２２０が形成されている。アーム取付孔２２０は、後壁部２１２において左右方向の中心を間に挟んで両側に２つずつ（合計４つ）形成されている。なお、図示の例では、取付ベース２１０の前壁部２２１にも、上述した支柱締結孔２１３及びアーム取付孔２２０が形成されている（図３，６参照）。これにより、ベース部材２００の前後の向きを気にすることなく、ベース部材２００を支柱５１に取り付けることが可能になる。但し、支柱締結孔２１３及びアーム取付孔２２０は、少なくとも後壁部２１２のみに形成されていればよい。
【００４７】
図２、図６に示すように、支持ベース２１１ａ，２１１ｂは、取付ベース２１０の後壁部２１２及び前壁部２２１において、左右方向の両端部を回避した位置からそれぞれ前後方向の外側に突出している。各支持ベース２１１ａ，２１１ｂのうち、前側支持ベース２１１ａは、取付ベース２１０が支柱５１に固定された状態において、前側切欠き部８１内に進入するとともに、前側支持片８２に上方から支持されている。各支持ベース２１１ａ，２１１ｂのうち、後側支持ベース２１１ｂは、取付ベース２１０が支柱５１に固定された状態において、後側切欠き部８３内に進入するとともに、後側支持片８４に上方から支持されている。
【００４８】
アーム部材２０１は、板材の周囲が下方に屈曲され、下方に開口した状態で前後方向に延在している。但し、アーム部材２０１は、前後方向に直交する断面の一部が閉断面に形成されていてもよい。
【００４９】
アーム部材２０１は、ベース部材２００に対して左右方向に位置変更可能に設けられている。本実施形態において、アーム部材２０１は、ベース部材２００に左右一対で取り付けられている。各アーム部材２０１は、互いに同様の構成である。そのため、以下の説明では、一のアーム部材２０１を例にして説明する。
【００５０】
アーム部材２０１は、ベース部材２００に上方から引っ掛かった状態で、ベース部材２００から前方に延在している。アーム部材２０１は、上片部２３０と、後片部２３１と、側片部２３２と、前片部２３３と、が一体形成された構成である。
上片部２３０は、上下方向を厚さ方向として、前後方向に延在している。上片部２３０の後部は、ベース部材２００の頂壁部２２２上に支持されている。上片部２３０の前部は、ベース部材２００から前方に延在している。
【００５１】
図２に示すように、後片部２３１は、上片部２３０の後端縁からベース部材２００の後壁部２１２に沿って下方に延設されている、後片部２３１には、後片部２３１を前後方向に貫通する貫通孔２３５が形成されている。アーム部材２０１は、貫通孔２３５を通じてアーム取付孔２２０にビス２３６を螺着することで、ベース部材２００に着脱可能に取り付けられる。この際、アーム部材２０１は、上述したアーム取付孔２２０のうち、ビス２３６を螺着するアーム取付孔２２０を任意に選択することで、ベース部材２００に対する左右方向の位置が変更可能になっている。なお、後片部２３１の下端縁は、後側支持ベース２１１ｂに上方から近接又は当接している。
【００５２】
側片部２３２は、上片部２３０の前部において、左右両端縁から下方に延設されている。側片部２３２の後端縁は、ベース部材２００の前壁部２２１に前方から近接又は当接している。このように、本実施形態のアーム部材２０１は、上片部２３０の下面、後片部２３１の前面、及び側片部２３２の後端縁により囲まれた部分が、下方に開口して取付ベース２１０の上方及び前後両側から係合（収容）する係合凹部２４０を構成している。なお、側片部２３２の後部下端縁は、前側支持ベース２１１ａに上方から近接又は当接している。なお、取付ベース２１０は、係合凹部２４０内に嵌合される構成でもよい。
【００５３】
図６に示すように、前片部２３３は、上片部２３０の前端縁から下方に延設されている。前片部２３３の下端部は、側片部２３２よりも下方に突出している。前片部２３３の下端部（側片部２３２よりも下方に位置する部分）には、前片部２３３を前後方向に貫通するディスプレイ取付孔２４１が形成されている。なお、本実施形態では、各ベース部材２００に一対のアーム部材２０１がそれぞれ取り付けられているため、ディスプレイＤを４箇所で取付可能になっている。
【００５４】
＜カバー＞
図３に示すように、カバー２３は、カバー本体１００と、フロントカバー１０１と、を備えている。
カバー本体１００は、スタンド部２２を上方、後方及び左右方向の両側から取り囲んでいる。カバー本体１００は、下方及び前方に開口する箱型とされている。カバー本体１００は、下端開口部を通じてスタンド部２２が挿入されることで、スタンド部２２に装着される。具体的に、カバー本体１００は、側方カバー１１０と、エンドカバー１１１と、を有している。
【００５５】
側方カバー１１０は、前方に開口するＣ字状に形成されている。側方カバー１１０は、一対のカバー側部１２０と、カバー後部１２１と、カバー前部１２２と、を有している。
図２、図３に示すように、各カバー側部１２０は、支柱５１を左右方向の外側から覆っている。各カバー側部１２０の下部には、前方及び下方に開口するクランプ収容部１２５（図３参照）が形成されている。クランプ収容部１２５の端縁（上端縁及び前端縁）は、クランプ部３１に対して左右方向の外側に位置している。但し、クランプ収容部１２５の端縁のうち、上端縁が支柱５１に対して左右方向の外側で上部片３３の上面に支持され、前端縁が支柱５１（下方延在部６２）に対して左右方向の外側で接続片３４の後面に支持されていてもよい。
【００５６】
図２に示すように、カバー後部１２１は、各カバー側部１２０の後端縁を上下方向の全長に亘って架け渡している。カバー後部１２１は、スタンド部２２及びクランプ部３１を後方からまとめて覆っている。カバー後部１２１の下端縁は、上述した位置決め片４２の上面に上方から当接している。
【００５７】
図３に示すように、カバー前部１２２は、各カバー側部１２０の前端縁から左右方向の内側に突出している。各カバー前部１２２は、支柱５１の前壁部６６を前方から覆っている。カバー前部１２２の下端縁は、上部片３３の上面に上方から支持されている。
【００５８】
カバー前部１２２において、上下方向の中央部には、カバー前部１２２を前後方向に貫通する係止孔１３０が形成されている。係止孔１３０は、上述した支柱５１の係止孔７２に正面視で重なり合っている。
【００５９】
エンドカバー１１１は、側方カバー１１０の上端開口部を閉塞している。エンドカバー１１１は、側方カバー１１０の上端縁に溶接等により接合されている。
【００６０】
図３に示すように、フロントカバー１０１は、支柱５１の下部を前方からまとめて覆っている。具体的に、フロントカバー１０１は、カバープレート１３２と、引掛け部１３３と、挿入部１３４と、を備えている。
カバープレート１３２は、前後方向を厚さ方向とする板状に形成されている。カバープレート１３２における左右方向の両端部は、上述したカバー前部１２２の前方に配置される。
【００６１】
引掛け部１３３は、カバープレート１３２の上部において、左右両端部に形成されている。引掛け部１３３は、カバープレート１３２から後方に突出している。引掛け部１３３は、左右方向から見た側面視で下向きのＬ字状に形成されている。具体的に、引掛け部１３３は、カバープレート１３２から後方に延在した後、下方に屈曲されている。引掛け部１３３は、上述した係止孔７２，１３０を通じてカバー本体１００（カバー前部１２２）及び支柱５１（前壁部６６）に係止されている。
【００６２】
挿入部１３４は、カバープレート１３２における左右方向の中央部から下方に突出している。挿入部１３４は、上部片３３の保持孔３９内に上方から挿入されている。
【００６３】
＜電子機器＞
図１に示すように、ディスプレイＤは、例えば液晶ディスプレイである。ディスプレイＤにおいて、筐体Ｄ１の後面（表示面（前面）とは反対側を向く面）中央部には、例えばＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）にて制定されたＶＥＳＡ  ＦＰＭＰＭＩ  Ｓｔａｎｄａｒｄに適合した位置及び寸法のねじ穴が形成されている。但し、ディスプレイＤは、情報を表示可能な構成であれば、液晶ディスプレイの他、有機ＥＬディスプレイ等であってもよい。なお、ねじ穴の位置は、規格等の変更に伴い、適宜変更が可能である。
【００６４】
図６に示すように、ディスプレイＤは、上述したディスプレイ取付孔２４１を通じてねじ穴にねじ２５０が螺着されることで、アーム部材２０１に固定される。すなわち、ディスプレイＤには、各ねじ穴に対応してアーム部材２０１が各別に固定される。そして、上述したようにアーム部材２０１がベース部材２００に取り付けられることで、ディスプレイＤがブラケット５２を介して支柱５１に支持される。
【００６５】
ここで、図２に示すように、本実施形態のディスプレイスタンド３において、各支柱５１に対して左右方向の内側に位置する部分は、配線挿通空間２５１を構成している。配線挿通空間２５１は、各ブラケット５２のうち、下方に位置するブラケット５２と、フロントカバー１０１の上端縁と、に画成された上部開口２５２を通じて内外が連通している。また、本実施形態において、同一のブラケット５２に支持されたアーム部材２０１の間は、上部開口２５２に連通する配線案内通路２５３を構成している。配線案内通路２５３は、左右方向がアーム部材２０１に画成された状態で、上下方向に貫通している。
【００６６】
上述したディスプレイＤの後面には、配線（例えば、電源ケーブルやＨＤＭＩ（登録商標：Ｈｉｇｈ  Ｄｅｆｉｎｉｔｉｏｎ  Ｍｕｌｔｉｍｅｄｉａ  Ｉｎｔｅｒｆａｃｅ）ケーブル等の入出力ケーブル）が引き出されている。例えば、ディスプレイＤの後面から引き出された配線１５０，１５１は、例えば上述した配線案内通路２５３を通じて下方に案内された後、上部開口２５２を通って配線挿通空間２５１内に進入する。配線挿通空間２５１内に進入した配線１５０，１５１は、配線挿通空間２５１内を下方に導かれた後、クランプ部３１の後方に回り込む。クランプ部３１の後方に回り込んだ配線１５０，１５１は、接続片３４の下部案内口４１を通じて天板１１の下方で、クランプ部３１の内側に引き出される。クランプ部３１の内側に引き出された配線１５０，１５１は、例えば各押圧部３２の間を通じてクランプ部３１から前方に引き出された後、下方に導かれる。なお、本実施形態では、各アーム部材２０１に対して左右方向の外側に位置する部分や、異なるブラケット５２間において、上下方向で対向するアーム部材２０１同士の間にも配線１５０，１５１が通過可能になっている。
【００６７】
［ディスプレイスタンドの組立方法］
次に、上述したディスプレイスタンド３の組立方法について説明する。なお、以下で説明する組立方法は、あくまで一例であり、組付順等は適宜変更が可能である。
まず、天板１１の外周端部に対して装着部２１をセットする。具体的には、上部片３３と押圧部３２との間に天板１１の外周端部を挿入した後、押圧部３２を一方に回転させる。すると、各押圧部３２が上部片３３に接近することで、各押圧部３２と上部片３３との間に天板１１が挟持される。
【００６８】
次に、ベース部材２００を支柱５１に取り付ける。ベース部材２００は、支持ベース２１１ａ，２１１ｂと支持片８２，８４とが干渉しないように、例えば左右方向を軸として傾けた状態で、各支柱５１の内側に上方から挿入する。その後、ベース部材２００がディスプレイＤのねじ穴の高さに到達した時点で、ベース部材２００を正規の状態（支持ベース２１１ａ，２１１ｂが水平面内に位置する状態）に戻す。これにより、支持ベース２１１ａ，２１１ｂが支持片８２，８４にそれぞれ下方から支持される。その後、貫通孔７３を通じてビス２１５を支柱締結孔２１３に締結することで、ベース部材２００が支柱５１に取り付けられる。
【００６９】
次に、ディスプレイＤの各ねじ穴の位置に合わせて、アーム部材２０１をディスプレイＤに取り付ける。具体的には、アーム部材２０１のディスプレイ取付孔２４１を通じてねじ穴にビス２５０を螺着する。これにより、各ねじ穴に対応してディスプレイＤにアーム部材２０１が取り付けられる。
【００７０】
続いて、アーム部材２０１をベース部材２００に取り付ける。具体的には、ディスプレイＤを持ち上げ、アーム部材２０１の係合凹部２４０を対応するベース部材２００の取付ベース２１０に上方から引っ掛ける。これにより、アーム部材２０１の係合凹部２４０内に取付ベース２１０が収容される。すなわち、アーム部材２０１は、上片部２３０が取付ベース２１０の頂壁部２２２に下方から支持されるとともに、後片部２３１及び側片部２３２が支持ベース２１１ａ，２１１ｂや後壁部２１２、前壁部２２１に支持された状態で、ベース部材２００に保持される。次に、アーム部材２０１の貫通孔２３５と、ベース部材２００のアーム取付孔２２０と、が前後方向で連通するように、ベース部材２００に対するアーム部材２０１の左右方向の位置を調整する。その後、貫通孔２３５を通じてアーム取付孔２２０にビス２３６を螺着する。これにより、ディスプレイＤがブラケット５２を介して支柱５１に取り付けられる。
【００７１】
次に、ディスプレイＤと他の電子機器（例えば、パソコンやコンセント）との間で、上述したように配線１５０，１５１の接続を行った後、スタンド部２２にカバー２３を取り付ける。具体的に、カバー本体１００の下端開口部を通じて、カバー本体１００内にスタンド部２２を挿入する。フロントカバー１０１は、上端部を後方に傾けた状態で、ディスプレイＤとスタンド部２２との間に差し入れる。その後、フロントカバー１０１の引掛け部１３３を係止孔７２，１３０に挿入した後、フロントカバー１０１を上方にスライドさせながら起こす。そして、フロントカバー１０１を下方にスライドさせることで、挿入部１３４を保持孔３９内に挿入する。
以上により、ディスプレイスタンド３が天板１１に取り付けられる。
【００７２】
このように、本実施形態において、ブラケット５２は、上下方向の位置を変更可能に支柱５１に取り付けられたベース部材２００と、左右方向の位置を変更可能にベース部材２００に取り付けられるとともに、前端部においてディスプレイＤが取り付けられるアーム部材２０１と、を備えている。アーム部材２０１は、ディスプレイＤに形成された複数のねじ穴に各別に取り付けられている。
この構成によれば、ディスプレイＤの各ねじ穴に対応してアーム部材２０１を設けることで、一つのブラケットがディスプレイに対して複数箇所で取り付けられる構成に比べて、アーム部材２０１とディスプレイＤとの対向面積を小さくできる。その上、ベース部材２００及びアーム部材２０１によって、支柱５１に対する上下方向及び左右方向に位置を変更することで、ねじ穴や配線とブラケット５２との干渉を抑制できる。その結果、種類やサイズの異なる種々のディスプレイＤをディスプレイスタンド３に取り付けることが可能になる。
【００７３】
本実施形態では、ベース部材２００は上方に向けて凸の取付ベース２１０を備え、アーム部材２０１は取付ベース２１０に上方から係合する係合凹部２４０を備えている構成とした。
この構成によれば、アーム部材２０１がベース部材２００に対して下方及び前後両側から支持される。これにより、ベース部材２００に対してアーム部材２０１を安定的かつ強固に取り付けることが可能になる。そのため、ディスプレイＤを安定して支持できる。
また、アーム部材２０１をベース部材２００に締結等により取り付けるにあたって、先に係合凹部２４０を取付ベース２１０に係合させておくことで、アーム部材２０１をベース部材２００に仮保持させておくことができる。これにより、アーム部材２０１の組付性を向上させることもできる。
【００７４】
本実施形態では、ベース部材２００を取付可能なベース取付部（支持片８２，８４や貫通孔７３）が支柱５１に上下方向に間隔をあけて形成され、ベース部材２００は、複数のベース取付部のうち、選択したベース取付部に取り付けられた状態で、一対の支柱５１間に架け渡されている構成とした。
この構成によれば、複数のベース取付部の中から選択してベース部材２００を取り付けることで、支柱５１に対するベース部材２００の上下位置を容易に変更することができる。
【００７５】
本実施形態では、支柱５１にベース部材２００を取り付けるベース取付部として、支持片８２，８４によりベース部材２００を下方から支持するとともに、貫通孔７３を通じてベース部材２００に後方からビス２１５が締結される構成とした。
この構成によれば、ベース部材２００が支柱５１に下方及び後方から支持される。これにより、支柱５１に対してベース部材２００を安定して取り付けることができる。
【００７６】
本実施形態では、支柱５１の前後両端部に支持片８２，８４が形成されているため、ベース部材２００の前後両側が下方から支持される。これにより、ベース部材２００が支柱５１により安定して支持される。
【００７７】
本実施形態では、アーム部材２０１がベース部材２００に対して後方から締結される構成とした。
この構成によれば、アーム部材２０１がディスプレイＤの取り付けられる側（前側）とは反対側からベース部材２００に取り付けられるので、組付性の向上を図ることができる。
【００７８】
本実施形態では、天板１１の外周端部を上下方向に挟んだ状態で天板１１に着脱可能に装着される装着部２１を備え、支柱５１が装着部２１から上方に延在している構成とした。
この構成によれば、天板１１の下方にディスプレイスタンド３の脚部等が配設されないので、ユーザの下肢とディスプレイスタンド３との干渉を抑制して、ユーザの下肢空間を確保できる。
【００７９】
（第２実施形態）
次に、本発明に係る第２実施形態について説明する。図７は、第２実施形態に係るディスプレイスタンド３の分解斜視図である。本実施形態では、ブラケット３００が支柱５１の前側のみで支持されている点で、上述した第１実施形態と相違している。以下の説明では、上述した第１実施形態に対応する構成については、同一の符号を付して説明を省略する場合がある。
図７に示すディスプレイスタンド３において、支柱５１の前壁部６６には、前壁部６６を前後方向に貫通する係止孔（ベース取付部、第１支持部）３１０が形成されている。係止孔３１０は、上下方向に延びるスリット状に形成されている。係止孔３１０は、上下方向に間隔をあけて複数形成されている。本実施形態では、上下に並んだ２つの係止孔３１０が一組の係止孔組３１０Ａを構成している。
【００８０】
前壁部６６において、係止孔３１０に対して左右方向の内側に位置する部分には、前壁部６６を前後方向に貫通する貫通孔（ベース取付部、第２支持部）３１１が形成されている。貫通孔３１１は、係止孔３１０の配列ピッチの２倍のピッチで上下方向に並んでいる。すなわち、貫通孔３１１は、各係止孔組３１０Ａを構成する係止孔３１０のうち、下方に位置する係止孔３１０に対して左右方向の内側に配置されている。
【００８１】
前壁部６６における左右方向の内側端部には、後方に延びる内向壁部３１５が形成されている。なお、本実施形態において、後壁部６７は、前壁部６６に対して左右方向の幅が短くなっている。上述した貫通孔３１１は、前壁部６６において、後壁部６７よりも左右方向の内側に位置する部分に形成されている。これにより、貫通孔３１１が支柱５１の後方から露出している。
【００８２】
図８は、スタンド部２２におけるブラケット３００周辺を後方から見た斜視図である。
図８、図９に示すように、ブラケット３００のベース部材３２０は、支柱５１間を架け渡すブリッジ部３２１と、ブリッジ部３２１における左右方向の両端部に形成された連結部３２２と、が一体に形成されて構成されている。
【００８３】
図９は、図８のＩＸ−ＩＸ線に相当する断面図である。
図９に示すように、ブリッジ部３２１は、断面視において前方に向けて開口するＣ字状に形成されている。ブリッジ部３２１の後壁部３２４において、左右方向の両端部には、上述した第１実施形態と同様にアーム取付孔２２０が形成されている。ブリッジ部３２１において、頂壁部３２６は底壁部３２７よりも前方に突出している。
【００８４】
連結部３２２は、平面視でＬ字状に形成されている。具体的に、連結部３２２は、前向片３３０と、横向片３３１と、を備えている。
前向片３３０は、ブリッジ部３２１における左右方向の両端部から、上述した内向壁部３１５に沿って前方に延在している。
横向片３３１は、前向片３３０の前端部から左右方向の外側に屈曲されている。
【００８５】
図７、図８に示すように、横向片３３１は、支柱５１の前壁部６６に対して前方に配置される。横向片３３１における左右方向の外側端部には、フック部３３２が形成されている。フック部３３２は、横向片３３１から後方に突出している。フック部３３２は、上下方向に間隔をあけて２つ配設されている。各フック部３３２は、上述した複数の係止孔組３１０Ａのうち、何れかの係止孔組３１０Ａを構成する係止孔３１０に各別に係止される。
図７に示すように、横向片３３１のうち、フック部３３２に対して左右方向の内側に位置する部分には、支柱締結孔３３５が形成されている。支柱締結孔３３５は、横向片３３１を前後方向に貫通している。支柱締結孔３３５には、フック部３３２が係止された係止孔組３１０Ａに対応する貫通孔３１１を通じてビス３３７が螺着される。これにより、ベース部材３２０は、支柱５１に対して上下方向の位置が変更可能になっている。
【００８６】
図８、図９に示すように、ブラケット３００のアーム部材３５０は、ベース部材３２０上に支持された状態で、ベース部材３２０から前方に延在している。具体的に、アーム部材３５０は、前方延在部３５１と、ベース取付片３５２と、ディスプレイ取付片３５３と、を備えている。
前方延在部３５１は、上方に開口するＵ字状に形成されている。前方延在部３５１の後部において、下壁部３５１ａは、ベース部材３２０の頂壁部３２６上に支持されている。
【００８７】
ベース取付片３５２は、下壁部３５１ａの後端縁からベース部材３２０の後壁部３２４に沿って下方に延設されている。ベース取付片３５２には、ベース取付片３５２を前後方向に貫通する貫通孔３５５が形成されている。アーム部材３５０は、貫通孔３５５を通じてアーム取付孔２２０にビス３５６を螺着することで、ベース部材３２０に着脱可能に取り付けられる。この際、アーム部材３５０は、上述したアーム取付孔２２０のうち、ビス３５６を螺着するアーム取付孔２２０を任意に選択することで、ベース部材３２０に対する左右方向の位置が変更可能になっている。
【００８８】
図９に示すように、ディスプレイ取付片３５３は、下壁部３５１ａの前端縁から上方に延設されている。ディスプレイ取付片３５３の左右両端縁は、前方延在部３５１の前側開口縁に溶接等によって接合されていることが好ましい。ディスプレイ取付片３５３には、ディスプレイ取付片３５３を前後方向に貫通するディスプレイ取付孔３６０が形成されている。ディスプレイＤは、上述したディスプレイ取付孔３６０を通じてねじ穴にねじ２５０が螺着されることで、アーム部材３５０に固定される。このように、アーム部材３５０がベース部材３２０に取り付けられることで、ディスプレイＤがブラケット３００を介して支柱５１に支持される。
【００８９】
本実施形態のディスプレイスタンド３を組み立てるには、上述した第１実施形態と同様に、天板１１の外周端部に対して装着部２１をセットした後、ベース部材３２０を支柱５１に取り付ける。具体的には、各係止孔組３１０Ａのうち、ディスプレイＤのサイズに応じて選択した係止孔組３１０Ａに対してベース部材３２０のフック部３３２を前方から挿入する。その後、ベース部材３２０を支柱５１に対して下降させることで、フック部３３２が係止孔３１０に係止される。続いて、支柱５１の後方から貫通孔３１１を通じて、支柱締結孔３３５にビス３３７を螺着する。これにより、ベース部材３２０が支柱５１に取り付けられる。
【００９０】
次に、第１実施形態と同様に、ディスプレイＤに上下・左右に互いに離間して設けられた各ねじ穴の位置に合わせて、アーム部材３５０をディスプレイＤに取り付ける。続いて、アーム部材３５０をベース部材３２０に取り付ける。具体的には、ディスプレイＤを持ち上げ、アーム部材３５０を対応するベース部材３２０のブリッジ部３２１に上方から引っ掛ける。次に、アーム部材３５０の貫通孔３５５と、ベース部材３２０のアーム取付孔２２０と、が前後方向で連通するように、ベース部材３２０に対するアーム部材３５０の左右方向の位置を調整する。その後、貫通孔３５５を通じてアーム取付孔２２０にビス３５６を螺着する。これにより、ディスプレイＤがブラケット３００を介して支柱５１に取り付けられる。
【００９１】
本実施形態では、上述した第１実施形態と同様の作用効果を奏することに加え、以下の作用効果を奏する。
すなわち、ベース部材３２０が支柱５１に対して前側から組み付けられるので、組立効率の向上を図ることができる。
【００９２】
（その他の変形例）
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、天板付什器等に連結される什器着脱タイプのディスプレイスタンド３を例にして説明したが、この構成に限られない。本発明に係るディスプレイスタンドは、支持部が床面に接地する自立タイプのディスプレイスタンドにも適用が可能である。また、什器着脱タイプのディスプレイスタンドにおいて、装着部は、天板１１に着脱可能に挟持される構成でもよく、天板１１の上面や下面、脚部等に固定される構成でもよい。
上述した実施形態では、天板付什器２としてテーブルを例にして説明したが、この構成のみに限られない。ディスプレイスタンド３が装着される天板付什器としては、キャビネット等であってもよい。
【００９３】
上述した実施形態では、ベース部材２００が支柱５１に対して上下方向に位置変更可能に構成され、アーム部材２０１がベース部材２００に対して左右方向に位置変更可能に構成された場合について説明したが、この構成に限られない。ベース部材が支持部に対して左右方向に位置変更可能に構成され、アーム部材がベース部材に対して上下方向に位置変更可能に構成されていてもよい。また、ベース部材やアーム部材は、位置変更可能な構成であれば、スライド移動等の無段階調整が可能に構成されていてもよい。
【００９４】
上述した実施形態では、アーム部材２０１の係合凹部２４０が、取付ベース２１０（係合凸部）に上方から係合することで、アーム部材２０１が下方及び前後両側から取付ベース２１０に支持される構成について説明したが、この構成に限られない。ベース部材２００とアーム部材２０１の取付方法は、適宜変更が可能である。
上述した実施形態では、ベース部材２００が上下方向及び前後方向で支持される構成について説明したが、この構成に限らず、上下方向及び前後方向の何れか一方向で支持される構成でもよい。
【００９５】
上述した実施形態では、一対のベース部材２００に、それぞれ一対のアーム部材２０１が取り付けられ、ディスプレイＤの４箇所でアーム部材２０１が取り付けられる構成について説明したが、この構成に限られない。アーム部材は、ディスプレイＤに形成された複数の固定部（ねじ穴）に対して、各別に取り付けられればよい。
【００９６】
上述した実施形態では、支持部として一対の支柱５１を有する構成について説明したが、この構成に限られない。支持部は、１本の支柱等であってもよい。また、支持部は、上下方向に直線状に延在する構成に限られない。
上述した実施形態では、支柱５１の内側に配線挿通空間２５１が形成された構成について説明したが、この構成に限られない。
【００９７】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００９８】
２…天板付什器
３…ディスプレイスタンド
１１…天板
２１…装着部
２２…スタンド部（支持部）
５２，３００…ブラケット（ディスプレイ取付部）
７３…貫通孔（ベース取付部、第２支持部）
８２…前側支持片（ベース取付部、第１支持部）
８４…後側支持片（ベース取付部、第１支持部）
２００…ベース部材
２０１…アーム部材
２１０…取付ベース（係合凸部）
２１３…支柱締結孔
２１５…ビス（締結部材）
３１０…係止孔（ベース取付部、第１支持部）
３１１…貫通孔（ベース取付部、第２支持部）
【図１】
2020071272.tif 000003
【図２】
2020071272.tif 000004
【図３】
2020071272.tif 000005
【図４】
2020071272.tif 000006
【図５】
2020071272.tif 000007
【図６】
2020071272.tif 000008
【図７】
2020071272.tif 000009
【図８】
2020071272.tif 000010
【図９】
2020071272.tif 000011